(57)【要約】      （修正有）【課題】海洋波の振動方向及び進行方向の両方の全運動エネルギーを電気に変換する海洋波発電システムを提供する。【解決手段】システムは、タワー１と浮遊発電プラント２という２つの主構造を備える。タワーは、浮遊発電プラントの係留点及び旋回軸として利用される。浮遊発電プラントは、三角形の基部を有するピラミッド型の鉄骨フレームを備え、波の動きに沿って浮いて、波の進行方向に対して常時正面を向く。この自己位置調整により、浮遊発電プラントに設けられたＯＤＳＣ変換器のエネルギー変換効果を最大化する。ＯＤＳＣ変換器は、複数のアッテネータ５と、ワンウェイクラッチと噛合ギアシステム６という３つの主構造を備え、海洋波の全運動エネルギーを捉え、変形し、変換し、一方向の巨大な駆動トルクに統合する。巨大なトルクは、発電システム８を直接駆動する。電気は海底電力ケーブルによって陸上に伝送される。【選択図】図１
0003215713.tif 000002
【実用新案登録請求の範囲】
【請求項１】
ワンウェイ直接駆動シャフトコンバータによって、海洋波の全運動エネルギーを電気に変換するシステム（ＯＤＳＣシステム）であって、２つの主構造であるａ）タワーと、ｂ）浮遊発電プラントを備えるシステム。
【請求項２】
請求項１に記載の前記タワーは、前記浮遊発電プラントの係留点及び旋回軸であるシステム。
【請求項３】
請求項１及び請求項２に記載の前記浮遊発電プラントは、三角形の基部を有するピラミッド型の鉄骨フレーム構造であるシステム。
【請求項４】
請求項１から請求項３に記載の前記浮遊発電プラントは、その三角形の基部の全ての角を支持するフロートによって浮くシステム。
【請求項５】
請求項４に記載の前記フロートは、紡錘形もしくは船形の浮き容器であるシステム。
【請求項６】
請求項１から請求項４に記載の前記浮遊発電プラントには、自己位置調整のための旋回点が設けられており、該旋回点は、前記浮遊発電プラントの主要部の中心より前方に配置されているシステム。
【請求項７】
請求項２及び請求項６に記載の前記旋回点並びに前記請求項４及び前記請求項６に記載の前記フロートの構造によって、前記浮遊発電プラントは、波の進行方向に対して正面を向いており、ＯＤＳＣ変換システムは、波の進行方向に対して常に垂直に配置されているシステム。
【請求項８】
請求項７に記載の前記ＯＤＳＣ変換システムは、前記浮遊発電プラントの底部に、三角形の基部の後端と平行になるように直線状に配置されるシステム。
【請求項９】
請求項７又は請求項８に記載の前記ＯＤＳＣ変換システムは、
ａ）複数のアッテネータと、
ｂ）ワンウェイ回転クラッチ及び噛合ギアシステムと、
ｃ）駆動軸と、
を備えるシステム。
【請求項１０】
請求項９に記載の各前記アッテネータのフレーム構造は、回転運動する一定半径の扇形のレバーであるシステム。
【請求項１１】
請求項９及び請求項１０に記載の各前記アッテネータのフレーム構造は、総密度が海水の密度よりも小さい材料で作られているシステム。
【請求項１２】
請求項９から請求項１１のいずれか一項に記載の各前記アッテネータは、扇形の円弧状端部が海洋エネルギーを捉えるために海面下に沈められるシステム。
【請求項１３】
請求項９から請求項１２のいずれか一項に記載の前記各アッテネータの中心先端部は垂直状になっており、支点軸として作用するピボット軸に連結されているシステム。
【請求項１４】
請求項１３に記載の前記ピボット軸は、ワンウェイ回転クラッチシステム及び噛合ギアシステムの中心軸であるシステム。
【請求項１５】
請求項１３に記載の前記支点軸には、ワンウェイ回転クラッチ及び噛合ギアシステムと駆動軸とが結合されているシステム。
【請求項１６】
請求項９、請求項１４及び請求項１６に記載の前記ワンウェイ回転クラッチシステムは、駆動トルクの回転方向を制御するための１つ以上のワンウェイクラッチ又はベアリングを備えるシステム。
【請求項１７】
請求項１４及び請求項１５に記載の前記噛合ギアシステムは、１つ以上のワンウェイクラッチ又はベアリングを備えて、逆方向の空転を常時一方向の駆動トルクに変換するシステム。
【請求項１８】
請求項９、請求項１４、請求項１５及び請求項１７に記載の前記噛合ギアシステムは、請求項９に記載の前記駆動軸に連結されており、方向変換されたトルクを伝達するシステム。
【請求項１９】
請求項９から請求項１８のいずれか一項に記載の複数の前記アッテネータ、前記ワンウェイ回転クラッチ及び前記噛合ギアシステムは、前記駆動軸に沿っており、これらすべてが互いに離間したパターンで整列状態にあるシステム。
【請求項２０】
請求項１９に記載の前記駆動軸に沿って互いに離間したパターンの前記整列状態では、水路スペースは調整可能であり、波高によって直接的に変化するシステム。
【請求項２１】
請求項９から請求項２０のいずれか一項に記載の前記駆動軸の一端は発電システムに結合されており、発電後海底電力ケーブルによって陸上に伝送するシステム。
【請求項２２】
請求項１から請求項２１のいずれか一項に記載の前記ワンウェイ直接駆動シャフトコンバータ（ＯＤＳＣシステム）によって、海洋波の全運動エネルギーを電気に変換するシステムは、規模を大きくするか、より大きなネットワークに繋げることで、より大きな電気容量を得ることができるシステム。
【考案の詳細な説明】
【技術分野】
【０００１】
本考案は、海洋波の全運動エネルギーを利用するシステムに関連し、特に海洋波のエネルギーを電気に変換するシステムに関連する。
【背景技術】
【０００２】
電力需要は継続して増加している一方で、将来的には枯渇する化石燃料の価格上昇や石炭火力発電プラントによる汚染等によって、電力供給は行き詰っている。あらゆる種類の化石燃料の燃焼による温室効果によって発生する地球温暖化が新たな重大な懸念事項となっている。さらに、多くの水力発電ダムは気候変動により枯渇し、原子力発電プラント事故の災害が世界を脅かしている。代替手段としての持続可能なグリーンエネルギー技術は、上記課題を解決するための新たな希望である。そこで、現在、太陽光、風力、地熱、潮力、海洋波等の再生可能エネルギーが広く実用化されている。
【０００３】
海は巨大で強力な太陽エネルギーの貯蔵庫である。多くの発明や技術が、海洋エネルギーを利用したり、その恩恵を受けたりするために開発されている。例えば、以下のものがある。
ａ）堰堤を出入りする大量の水からエネルギーを得るのに用いられるダムのような構造物であるフランスのランス潮汐発電プラント。
ｂ）振動水柱システムを用いて、空気室内の空気を出入させてタービンを動かす海岸線に沿って設けられた装置であるアイラ島のＬＩＭＰＥＴ（陸上設置型海洋エネルギー変換器）。
ｃ）海面の波の搖動運動を利用して発電する技術であるペラミス波力発電装置。
ｄ）潮流や潮汐流によって動く潮流タービンであるＳｅａＧｅｎ。
【０００４】
しかしながら、海洋エネルギーを利用するために発明された多くの技術は、非効率的であったり、高価であったり、地理的制限によって有効でなかったりするために、商用利用には実用的でない。ほとんどの技術は、海洋の運動エネルギーの一面だけを利用するように設定されている。例えば、アイラ島のＬＩＭＰＥＴとペラミス波力発電装置は、波の振動方向の面のみの海洋エネルギーを利用するように設計されており、ＳｅａＧｅｎは、波の進行方向のみの海洋エネルギーを利用するように設計されている。さらに、発電施設は、面積が広大で大規模となり、環境、生態、漁業、観光及び航路を害する。これらの課題を克服する解決策の改善が望まれている。
【図面の簡単な説明】
【０００５】
【図１】本考案は、添付の図面を参照して、例としてのみ、本明細書で説明される。図面では、符号１は柱であり、符号２は浮遊発電プラントであり、符号３はフロートであり、符号４は旋回点であり、符号５は複数の又は１つのアッテネータであり、符号６はワンウェイ回転クラッチシステム及び噛合ギアシステムであり、符号７は駆動軸システムであり、符号８は発電システムである。
【考案を実施するための形態】
【０００６】
図１は、振動方向及び進行方向における海洋波エネルギーを、画期的なワンウェイ直接駆動シャフトコンバータ（ＯＤＳＣ）によって変換するシステムの概略構造図である。このシステムは、タワー１と浮遊発電プラント２との２つの主構造を備える。タワー１は、浮遊発電プラント２の係留点及び旋回軸であり、海底に設置されたコンクリート製の巨大なソケットと連結されている。浮遊発電プラント２は、三角形の基部を有するピラミッド型の鉄骨フレームを備えており、フロート３によって浮いている。フロート３は、紡錘形又は船形の容器であって、三角形の基部の３つ全ての角の下に設置される。浮遊発電プラント２は、旋回点４でタワー１に結合される。
【０００７】
旋回点４は、浮遊発電プラント２の主要部の中心より前方に配置されている。このような構造によって、浮遊発電プラント２は、波の進行方向に対して常に正面を向いており、ＯＤＳＣ変換システムは、波の進行方向に対して常に垂直に配置される。このような自己位置調整により、有効なエネルギー変換を最大化する。
【０００８】
ＯＤＳＣ変換システムは、一方向に回転する直接駆動のシャフトコンバータであって、浮遊発電プラント２の後方底部に設置されており、複数のアッテネータ５と、ワンウェイ回転クラッチシステム６及び噛合ギアシステム６と、駆動軸システム７を備えている。
【０００９】
各アッテネータ５は、扇形のレバーであり、総密度が海水密度よりも小さい材料で作られている。各アッテネータ５の円弧状端部は、搖動する海面下に沈められることで海洋エネルギーを捉えて、急激な振り子の揺れという形で力学的エネルギーに変換する。一方、各アッテネータ５の扇形の中心先端部は、ピボット軸を支点軸として、ピボット軸に垂直に連結されている。支点軸では、各アッテネータ５と、ワンウェイ回転クラッチシステム６及び噛合ギアシステム６と、駆動軸システム７とが連結されている。
【００１０】
ワンウェイ回転クラッチシステム６は、駆動トルクの回転方向を制御するための１つ以上のワンウェイクラッチ又はベアリングを備え、噛合ギアシステム６は、１つ以上のワンウェイクラッチ又はベアリングを備えて、逆方向の空転を常時一方向の駆動トルクに変換する。噛合ギアシステムは駆動軸に連結されており、方向転換されたトルクを伝達する。
【００１１】
多数のアッテネータ５とワンウェイ回転クラッチシステム６及び噛合ギアシステム６が駆動軸７に沿って組み付けられ、各アッテネータ５が互いに空隙又はスペースを空けた離間パターンで直線状に整列することで、線形同軸の変換器になっている。各アッテネータ５間の水路スペースは調整可能であり、ビューフォートスケールと波の程度によって変化する。ビューフォートスケールの風力階級２の小波の状態では、４インチ以上の水路スペースが設定され、ビューフォートスケールの風力階級６の長波の状態では、４０インチ以上の水路スペースが設定される。
【００１２】
駆動軸は、旋回軸になるだけでなく、エネルギー集積装置及びエネルギーの送信機としても作用する。駆動軸７の一端は発電システム８に連結され、発電後、海底電力ケーブルによって陸上に伝送される。
【００１３】
ワンウェイ直接駆動シャフトコンバータ（ＯＤＳＣシステム）によって、海洋波の全運動エネルギーを電気に変換するシステムは、規模を大きくしたり、より大きなネットワークに繋げたりすることで、より大きな電気容量を得ることができる。
【考案の概要】
【００１４】
ワンウェイ直接駆動シャフトコンバータ（ＯＤＳＣシステム）によって、海洋波の全運動エネルギーを電気に変換するシステムは、海洋波の振動方向及び進行方向の全運動エネルギーを電気エネルギーに変換する効率的なシステムである。海洋波の物理的特性がどのような状態であっても、どのように変容しても、ＯＤＳＣシステムによって海洋エネルギーを利用することは、ほぼ無制限である。また、複数のアッテネータ間に設けられ、海洋の波の程度によって変更可能な革新的で調整可能な水路スペースによって、波がかなり穏やかな状態であっても、ＯＤＳＣシステムによる海洋エネルギーの利用は効率的である。
【００１５】
各波面から得られるそれぞれのエネルギーは、画期的なワンウェイ回転直接駆動軸によって線形的に統合されて強力なトルクになる。そして、ワンウェイクラッチとギアシステムによって、フリーラン回転（空転）によるエネルギーロスが生じなくなる。
【００１６】
ＯＤＳＣシステムは、タワーと浮遊発電プラントとの２つの主構造を備えている。タワーは、海底に設置されたコンクリート製の巨大なソケットと連結されている。タワーは、浮遊発電プラントの係留点及び旋回軸として用いられる。浮遊発電プラントは、三角形の基部を有するピラミッド型の鉄骨フレームを備えており、船形の浮き容器によって波に乗って浮いており、波の進行方向に対して常に正面を向いており、ＯＤＳＣ変換システムが波の進行方向に対して常に垂直に配置される。このような自己位置調整により、有効なエネルギー変換を最大化する。
【００１７】
ＯＤＳＣ変換器は、駆動軸と、複数のアッテネータと、ワンウェイクラッチ及び噛合ギアシステムとの３つの主構造を備えている。駆動軸は、浮遊発電プラントの底部に、三角形の基部の後端と平行になるように配置される。
【００１８】
多数のアッテネータが駆動軸に連結されている。アッテネータは、総密度が海水密度よりも小さい材料で作られた扇形のフレーム構造からなる回転運動レバーである。アッテネータのこのような特殊な構造によって、起動のための開始エネルギーや遅延力が最小化される。各アッテネータの扇形の中心先端は垂直状とされ、支点として作用する。一方、各アッテネータの扇形の円弧状端部は、海面下に沈められることで、海洋波の全運動エネルギーを吸収して振り子の力学的運動に変換する。ワンウェイクラッチ及び嵌合ギアシステムは、アッテネータと駆動軸の両方に連結されることで、エネルギーを伝達し、回転方向を変換し、各エネルギーを巨大なトルクに統合して、発電システムを直接的に動作させる。その後、電気は海底電力ケーブルを経由して陸上に送られる。
【図１】
0003215713.tif 000003
【手続補正書】
【提出日】平成29年10月31日(2017.10.31)
【手続補正１】
【補正対象書類名】実用新案登録請求の範囲
【補正対象項目名】全文
【補正方法】変更
【補正の内容】
【実用新案登録請求の範囲】
【請求項１】
タワーと、
前記タワーに旋回可能に係留されて、三角形の基部を有する浮遊発電プラントと、
前記浮遊発電プラントの底部に配置されたＯＤＳＣ変換システムとを備え、
前記ＯＤＳＣ変換システムは、
一定半径の扇形のフレーム構造を有し、回転運動レバーである複数のアッテネータと、
前記アッテネータの中心先端部で連結されている支点軸として作用するピボット軸が、その中心軸となるワンウェイ回転クラッチ及び噛合ギアシステムと、を備えており、
前記アッテネータのそれぞれの扇形の円弧状端部が海洋エネルギーを捉えるために海面下に沈められる海洋波発電システム。
【請求項２】
前記タワーは、前記浮遊発電プラントの係留点及び旋回軸である請求項１に記載の海洋波発電システム。
【請求項３】
前記浮遊発電プラントは、その三角形の基部の全ての角を支持するフロートによって浮く請求項１又は請求項２に記載の海洋波発電システム。
【請求項４】
前記フロートは、紡錘形もしくは船形の浮き容器である請求項３に記載の海洋波発電システム。
【請求項５】
前記浮遊発電プラントには、自己位置調整のための旋回点が設けられており、該旋回点は、前記浮遊発電プラントの主要部の中心より前方に配置されている請求項３又は請求項４に記載の海洋波発電システム。
【請求項６】
前記浮遊発電プラントは、波の進行方向に対して正面を向いており、
前記ＯＤＳＣ変換システムは、波の進行方向に対して常に垂直に配置されている請求項５に記載の海洋波発電システム。
【請求項７】
前記ＯＤＳＣ変換システムは、前記浮遊発電プラントの基部の後端と平行になるように直線状に配置される請求項６に記載の海洋波発電システム。
【請求項８】
前記アッテネータのフレーム構造は、総密度が海水の密度よりも小さい材料で作られている請求項１から請求項７のいずれか一項に記載の海洋波発電システム。
【請求項９】
前記ワンウェイ回転クラッチシステムは、駆動トルクの回転方向を制御するための１つ以上のワンウェイクラッチ又はベアリングを備える請求項１から請求項８のいずれか一項に記載の海洋波発電システム。
【請求項１０】
前記噛合ギアシステムは、１つ以上のワンウェイクラッチ又はベアリングを備えて、逆方向の空転を常時一方向の駆動トルクに変換する請求項９に記載の海洋波発電システム。
【請求項１１】
前記アッテネータは、互いに空隙又はスペースを空けた離間パターンで直線状に整列しており、
前記アッテネータ間の前記スペースは調整可能となっている請求項１から請求項１０のいずれか一項に記載の海洋波発電システム。
【請求項１２】
前記海洋波発電システムは、その規模を大きくするか、より大きなネットワークに繋げることで、より大きな電気容量を得ることができる請求項１から請求項１１のいずれか一項に記載の海洋波発電システム。
【手続補正２】
【補正対象書類名】明細書
【補正対象項目名】全文
【補正方法】変更
【補正の内容】
【考案の詳細な説明】
【技術分野】
【０００１】
本考案は、海洋波の全運動エネルギーを利用するシステムに関連し、特に海洋波のエネルギーを電気に変換するシステムに関連する。
【背景技術】
【０００２】
電力需要は継続して増加している一方で、将来的には枯渇する化石燃料の価格上昇や石炭火力発電プラントによる汚染等によって、電力供給は行き詰っている。あらゆる種類の化石燃料の燃焼による温室効果によって発生する地球温暖化が新たな重大な懸念事項となっている。さらに、多くの水力発電ダムは気候変動により枯渇し、原子力発電プラント事故の災害が世界を脅かしている。代替手段としての持続可能なグリーンエネルギー技術は、上記課題を解決するための新たな希望である。そこで、現在、太陽光、風力、地熱、潮力、海洋波等の再生可能エネルギーが広く実用化されている。
【０００３】
海は巨大で強力な太陽エネルギーの貯蔵庫である。多くの発明や技術が、海洋エネルギーを利用したり、その恩恵を受けたりするために開発されている。例えば、以下のものがある。
ａ）堰堤を出入りする大量の水からエネルギーを得るのに用いられるダムのような構造物であるフランスのランス潮汐発電プラント。
ｂ）振動水柱システムを用いて、空気室内の空気を出入させてタービンを動かす海岸線に沿って設けられた装置であるアイラ島のＬＩＭＰＥＴ（陸上設置型海洋エネルギー変換器）。
ｃ）海面の波の搖動運動を利用して発電する技術であるペラミス波力発電装置。
ｄ）潮流や潮汐流によって動く潮流タービンであるＳｅａＧｅｎ。
【考案の概要】
【考案が解決しようとする課題】
【０００４】
しかしながら、海洋エネルギーを利用するために発明された多くの技術は、非効率的であったり、高価であったり、地理的制限によって有効でなかったりするために、商用利用には実用的でない。ほとんどの技術は、海洋の運動エネルギーの一面だけを利用するように設定されている。例えば、アイラ島のＬＩＭＰＥＴとペラミス波力発電装置は、波の振動方向の面のみの海洋エネルギーを利用するように設計されており、ＳｅａＧｅｎは、波の進行方向のみの海洋エネルギーを利用するように設計されている。さらに、発電施設は、面積が広大で大規模となり、環境、生態、漁業、観光及び航路を害する。これらの課題を克服する解決策の改善が望まれている。
【課題を解決するための手段】
【０００５】
本考案の海洋波発電システムは、タワーと、タワーに旋回可能に係留されて、三角形の基部を有する浮遊発電プラントと、浮遊発電プラントの底部に配置されたＯＤＳＣ変換システムとを備えている。そして、ＯＤＳＣ変換システムは、一定半径の扇形のフレーム構造を有し、回転運動レバーである複数のアッテネータと、アッテネータの中心先端部で連結されている支点軸として作用するピボット軸が、その中心軸となるワンウェイ回転クラッチ及び噛合ギアシステムと、を備え、アッテネータのそれぞれの扇形の円弧上端部が海洋エネルギーを捉えるために海面下に沈められる。
【０００６】
浮遊発電プラントにはＯＤＳＣ変換システムが設けられている。ＯＤＳＣ変換システムにおいて、各アッテネータは、扇形のフレーム構造からなる回転運動レバーである。各アッテネータの扇形の中心先端部は、ピボット軸で連結されており、ピボット軸はアッテネータの支点軸として作用する。一方、各アッテネータの扇形の円弧状端部は、海面下に沈められることで、海洋波の全運動エネルギーを吸収して振り子の力学的運動に変換する。ワンウェイクラッチ及び嵌合ギアシステムは、アッテネータのピボット軸を中心軸としており、アッテネータのエネルギーを一方向の駆動トルクに変換する。
【図面の簡単な説明】
【０００７】
【図１】海洋波エネルギーをワンウェイ直接駆動シャフトコンバータ（ＯＤＳＣ）によって変換する海洋波発電システムの概略構造図
【考案を実施するための形態】
【０００８】
図１は、振動方向及び進行方向における海洋波エネルギーを、画期的なワンウェイ直接駆動シャフトコンバータ（ＯＤＳＣ）によって変換する海洋波発電システムの概略構造図である。この海洋波発電システムは、タワー１と浮遊発電プラント２との２つの主構造を備える。タワー１は、浮遊発電プラント２の係留点及び旋回軸であり、海底に設置されたコンクリート製の巨大なソケットと連結されている。浮遊発電プラント２は、三角形の基部を有するピラミッド型の鉄骨フレームを備えており、フロート３によって浮いている。フロート３は、紡錘形又は船形の容器であって、三角形の基部の３つ全ての角の下に設置される。浮遊発電プラント２は、旋回点４でタワー１に結合される。
【０００９】
旋回点４は、浮遊発電プラント２の主要部の中心より前方に配置されている。このような構造によって、浮遊発電プラント２は、波の進行方向に対して常に正面を向いており、ＯＤＳＣ変換システムは、波の進行方向に対して常に垂直に配置される。このような自己位置調整により、有効なエネルギー変換を最大化する。
【００１０】
ＯＤＳＣ変換システムは、一方向に回転する直接駆動のシャフトコンバータであって、浮遊発電プラント２の後方底部に設置されており、複数のアッテネータ５と、ワンウェイ回転クラッチシステム６及び噛合ギアシステム６と、駆動軸システム７を備えている。
【００１１】
各アッテネータ５は、扇形のレバーであり、総密度が海水密度よりも小さい材料で作られている。各アッテネータ５の円弧状端部は、搖動する海面下に沈められることで海洋エネルギーを捉えて、急激な振り子の揺れという形で力学的エネルギーに変換する。一方、各アッテネータ５の扇形の中心先端部は、ピボット軸を支点軸として、ピボット軸に垂直に連結されている。支点軸では、各アッテネータ５と、ワンウェイ回転クラッチシステム６及び噛合ギアシステム６と、駆動軸システム７とが連結されている。
【００１２】
ワンウェイ回転クラッチシステム６は、駆動トルクの回転方向を制御するための１つ以上のワンウェイクラッチ又はベアリングを備え、噛合ギアシステム６は、１つ以上のワンウェイクラッチ又はベアリングを備えて、逆方向の空転を常時一方向の駆動トルクに変換する。噛合ギアシステムは駆動軸に連結されており、方向転換されたトルクを伝達する。
【００１３】
多数のアッテネータ５とワンウェイ回転クラッチシステム６及び噛合ギアシステム６が駆動軸７に沿って組み付けられ、各アッテネータ５が互いに空隙又はスペースを空けた離間パターンで直線状に整列することで、線形同軸の変換器になっている。各アッテネータ５間の水路スペースは調整可能であり、ビューフォートスケールと波の程度によって変化する。ビューフォートスケールの風力階級２の小波の状態では、４インチ以上の水路スペースが設定され、ビューフォートスケールの風力階級６の長波の状態では、４０インチ以上の水路スペースが設定される。
【００１４】
駆動軸は、旋回軸になるだけでなく、エネルギー集積装置及びエネルギーの送信機としても作用する。駆動軸７の一端は発電システム８に連結され、発電後、海底電力ケーブルによって陸上に伝送される。
【００１５】
ワンウェイ直接駆動シャフトコンバータ（ＯＤＳＣシステム）によって、海洋波の全運動エネルギーを電気に変換するシステムは、規模を大きくしたり、より大きなネットワークに繋げたりすることで、より大きな電気容量を得ることができる。
【００１６】
上述のように、ワンウェイ直接駆動シャフトコンバータ（ＯＤＳＣシステム）によって、海洋波の全運動エネルギーを電気に変換する海洋波発電システムは、海洋波の振動方向及び進行方向の全運動エネルギーを電気エネルギーに変換する効率的なシステムである。海洋波の物理的特性がどのような状態であっても、どのように変容しても、ＯＤＳＣシステムによって海洋エネルギーを利用することは、ほぼ無制限である。また、複数のアッテネータ間に設けられ、海洋の波の程度によって変更可能な革新的で調整可能な水路スペースによって、波がかなり穏やかな状態であっても、ＯＤＳＣシステムによる海洋エネルギーの利用は効率的である。
【００１７】
各波面から得られるそれぞれのエネルギーは、画期的なワンウェイ回転直接駆動軸によって線形的に統合されて強力なトルクになる。そして、ワンウェイクラッチとギアシステムによって、フリーラン回転（空転）によるエネルギーロスが生じなくなる。
【００１８】
ＯＤＳＣシステムは、タワーと浮遊発電プラントとの２つの主構造を備えている。タワーは、海底に設置されたコンクリート製の巨大なソケットと連結されている。タワーは、浮遊発電プラントの係留点及び旋回軸として用いられる。浮遊発電プラントは、三角形の基部を有するピラミッド型の鉄骨フレームを備えており、船形の浮き容器によって波に乗って浮いており、波の進行方向に対して常に正面を向いており、ＯＤＳＣ変換システムが波の進行方向に対して常に垂直に配置される。このような自己位置調整により、有効なエネルギー変換を最大化する。
【００１９】
ＯＤＳＣ変換器は、駆動軸と、複数のアッテネータと、ワンウェイクラッチ及び噛合ギアシステムとの３つの主構造を備えている。駆動軸は、浮遊発電プラントの底部に、三角形の基部の後端と平行になるように配置される。
【００２０】
多数のアッテネータが駆動軸に連結されている。アッテネータは、総密度が海水密度よりも小さい材料で作られた扇形のフレーム構造からなる回転運動レバーである。アッテネータのこのような特殊な構造によって、起動のための開始エネルギーや遅延力が最小化される。各アッテネータの扇形の中心先端は垂直状とされ、支点として作用する。一方、各アッテネータの扇形の円弧状端部は、海面下に沈められることで、海洋波の全運動エネルギーを吸収して振り子の力学的運動に変換する。ワンウェイクラッチ及び嵌合ギアシステムは、アッテネータと駆動軸の両方に連結されることで、エネルギーを伝達し、回転方向を変換し、各エネルギーを巨大なトルクに統合して、発電システムを直接的に動作させる。その後、電気は海底電力ケーブルを経由して陸上に送られる。
【符号の説明】
【００２１】
１…タワー、２…浮遊発電プラント、３…フロート、４…旋回点、５…アッテネータ、６…ワンウェイ回転クラッチ及び噛合ギアシステム、７…駆動軸、８…発電システム。
【手続補正３】
【補正対象書類名】図面
【補正対象項目名】図１
【補正方法】変更
【補正の内容】
【図１】
0003215713.tif 000004